(57)【要約】【課題】画素の拡大虚像を利用して色のグラデーション効果を奏することが可能な装飾表示体を提供する。【解決手段】装飾表示体１は、透明素材１０の表面に複数の集光素２１を各集光素２１の並びに方向性を持たせて２次元的に配列して集光素パターン２２が形成されるとともに、透明素材１０の裏面に複数の画素３１を各画素３１の並びに方向性を持たせて２次元的に配列して画素パターン３２が形成され、各集光素２１と各画素３２の配列ピッチを異ならせることにより画素３１の拡大虚像を透明素材１０の上方に現出させる。本装飾表示体１において画素３１はマゼンダで着色されたｍ色画素５１とイエローで着色されたｙ色画素６１とからなり、両色画素５１、６１を重ねることによって画素３１が形成されるとともに画素パターン３２の所定の方向に沿ってｍ色画素５１の画素径が次第に変化することを特徴とする。【選択図】図２
2012236375.tif 000002
【特許請求の範囲】
【請求項１】
シート状または板状の透明素材の表面に、複数の凸レンズ状の集光素を各集光素の並びに方向性を持たせて２次元的に配列して集光素パターンが形成されるとともに、前記透明素材の裏面に、複数の画素を各画素の並びに方向性を持たせて２次元的に配列して画素パターンが形成され、各画素の配列ピッチが各集光素の配列ピッチよりも大きくなるように前記集光素パターンと前記画素パターンとが形成されることにより、前記画素の拡大虚像を透明素材の上方に現出させる装飾表示体であって、
前記画素は互いに異なる色で着色された透明または半透明の複数の色画素からなり、
前記色画素を重ねることによって前記画素が形成されるとともに、前記画素パターンの所定の方向に沿って少なくともいずれかの前記色画素の画素径が次第に変化することを特徴とする装飾表示体。
【請求項２】
前記画素パターンの画素を形成する前記各色画素は、前記集光素パターンの集光素の配列ピッチの１０１％以下の配列ピッチで配列している請求項１に記載の装飾表示体。
【請求項３】
前記画素パターンの画素を形成する前記各色画素は、同一の配列ピッチで配列している請求項１または請求項２に記載の装飾表示体。
【請求項４】
前記画素パターンの画素を形成する前記各色画素は、シアン、マゼンダ、イエローの三原色のいずれかの色で着色されている請求項１ないし請求項３のいずれかに記載の装飾表示体。
【発明の詳細な説明】
【技術分野】
【０００１】
本発明は、遊技機やゲーム機の外装パネル、包装箱、広告体、飾り品、デジタルフォトフレームなどの各種商品の装飾に用いられる装飾表示体に関する。
【背景技術】
【０００２】
一般に、遊技機やゲーム機の外層パネル、包装箱、広告体、飾り品や、あるいはデジタルフォトフレームなどの種々の商品は、表面に文字や図柄などの装飾を施される場合が多い。こういった装飾においては、各種商品の表面から図柄などの拡大虚像を上方に現出させる装飾表示体を採用する技術が従来より知られており、例えば下記特許文献１に開示されている。
【０００３】
この特許文献１の装飾表示体は、同一形状・同一大きさの平凸レンズ状集光素を透明素材の表面において多数縦横に整列させることにより形成される平凸レンズ状集光素層と、同一形状・同一大きさの画素を透明素材の裏面において多数縦横に整列させることにより形成される画素層とから構成されており、平凸レンズ状集光素層における集光素の配列ピッチと画素層における画素の配列ピッチとをずらして構成することにより、画素の拡大虚像を透明素材の上方に現出させる。
【０００４】
また、特許文献１の技術を応用して、拡大虚像の形状を変形などさせる技術も知られており、例えば下記特許文献２および特許文献３に開示されている。特許文献２の装飾表示体は、基準の画素として設定した基礎画素から離れていくに連れて、画素形状を次第に変形させることにより、観る位置の移動に伴って次第に拡大虚像が変形するようにしている。また、特許文献３の装飾表示体は、上記したような基礎画素から離れていくに連れて、画素を次第に回転させることにより、観る位置の移動に伴って次第に拡大虚像が回転するようにしている。
【先行技術文献】
【特許文献】
【０００５】
【特許文献１】特開２００１−０５５０００号公報
【特許文献２】特開２００３−２２６１００号公報
【特許文献３】特開２００３−２２６０９９号公報
【発明の概要】
【発明が解決しようとする課題】
【０００６】
しかしながら、観る位置の移動に伴って画素の拡大虚像が次第に変形または回転する装飾表示体は従来より存在するが、装飾表示体の表面において色のグラデーション効果を奏するものは存在していなかった。
【０００７】
本発明は、上述の技術的背景に鑑みてなされたものであって、画素の拡大虚像を利用して色のグラデーション効果を奏することが可能な装飾表示体を提供することを目的とする。
【課題を解決するための手段】
【０００８】
本発明に係る装飾表示体は、上記目的を達成するために、シート状または板状の透明素材の表面に、複数の凸レンズ状の集光素を各集光素の並びに方向性を持たせて２次元的に配列して集光素パターンが形成されるとともに、透明素材の裏面に、複数の画素を各画素の並びに方向性を持たせて２次元的に配列して画素パターンが形成され、各画素の配列ピッチが各集光素の配列ピッチよりも大きくなるように集光素パターンと画素パターンとが形成されることにより、画素の拡大虚像を透明素材の上方に現出させる。本装飾表示体において、画素は互いに異なる色で着色された透明または半透明の複数の色画素からなり、色画素を重ねることによって画素が形成されるとともに、画素パターンの所定の方向に沿って少なくともいずれかの色画素の画素径が次第に変化することを特徴とする。
【０００９】
これによれば、互いに異なる色で着色された透明または半透明の複数の色画素を重ねることによって画素が形成されることにより、画素の拡大虚像は各色画素の拡大虚像が合成された状態となるため、各色画素の拡大虚像の色が合成されてなる合成色の拡大虚像を現出させることができる。また、これとともに、画素パターンの所定の方向に沿って少なくともいずれかの色画素の画素径が次第に変化することにより、画素を構成する各色画素の色の割合が該所定の方向に沿って変化するため、それに伴って画素の拡大虚像の合成色を次第に変化させることができ、観る者に対して色のグラデーション効果を奏することが可能となる。
【００１０】
また、画素パターンの画素を形成する各色画素は、集光素パターンの集光素の配列ピッチの１０１％以下の配列ピッチで配列しているのが好ましい。これによれば、各色画素の拡大虚像の拡大率が高まり、各色画素の拡大虚像を輪郭がより一層ぼやけた状態で大きく現出させることができる。このため、上下に重なる各色画素の拡大虚像はより一層合成された状態となり、画素全体として各色画素の拡大虚像の色が合成されてなる合成色の拡大虚像を現出させ易くなる。しかも、隣り合う画素の拡大虚像同士もより一層合成された状態となるため、結果として観る者に対して滑らかに色が変化するグラデーション効果を奏することが可能となる。
【００１１】
また、画素パターンの画素を形成する各色画素は、同一の配列ピッチで配列しているのが好ましい。これによれば、各色画素を簡単かつ確実に重ならせることができるため、画素を形成する各色画素の色の割合を精度良く設定することができ、所望のパターンのグラデーション効果を奏することが容易となる。また、画素パターンの画素を形成する各色画素は、シアン、マゼンダ、イエローの三原色のいずれかの色で着色されているのが好ましい。これによれば、シアン、マゼンダ、イエローの三原色からなる様々な色画素の拡大虚像を用いて新たな合成色の画素の拡大虚像を上方に現出させることができ、所望の色からなるグラデーション効果を奏することが容易となる。
【発明の効果】
【００１２】
本発明によれば、互いに異なる色で着色された透明または半透明の複数の色画素を重ねることによって画素が形成されることにより、画素の拡大虚像は各色画素の拡大虚像が合成された状態となるため、各色画素の拡大虚像の色が合成されてなる合成色の拡大虚像を現出させることができる。また、これとともに、画素パターンの所定の方向に沿って少なくともいずれかの色画素の画素径が次第に変化することにより、画素を構成する各色画素の色の割合が該所定の方向に沿って変化するため、それに伴って画素の拡大虚像の合成色を次第に変化させることができ、観る者に対して色のグラデーション効果を奏することが可能となる。
【００１３】
このため、遊技機やゲーム機の外装パネル、包装箱、広告体、飾り品、デジタルフォトフレームなどの各種商品の装飾に本装飾表示体を用いることにより、消費者などに各種商品に対する興味を持たせることができるため、商品に対する購買意欲を向上させることが可能となる。
【図面の簡単な説明】
【００１４】
【図１】第１実施形態に係る装飾表示体の平面図である。
【図２】第１実施形態に係る装飾表示体における（ａ）集光素と画素、（ｂ）集光素とｍ色画素、（ｃ）集光素とｙ色画素の関係を示す拡大平面図である。
【図３】第１実施形態に係る装飾表示体の模式断面図である。
【図４】第１実施形態に係る装飾表示体における色のグラデーション効果を示す図である。
【図５】第２実施形態に係る装飾表示体の（ａ）集光素と画素、（ｂ）集光素とｃ色画素、（ｃ）集光素とｙ色画素の関係を示す拡大平面図である。
【図６】第２実施形態に係る装飾表示体の模式断面図である。
【図７】第２実施形態に係る装飾表示体における色のグラデーション効果を示す図である。
【図８】第３実施形態に係る装飾表示体の集光素と画素の関係を示す拡大平面図である。
【図９】第３実施形態に係る装飾表示体の（ａ）集光素とｃ色画素、（ｂ）集光素とｍ色画素、（ｃ）集光素とｙ色画素の関係を示す拡大平面図である。
【図１０】第３実施形態に係る装飾表示体の模式断面図である。
【図１１】第３実施形態に係る装飾表示体における色のグラデーション効果を示す図である。
【発明を実施するための形態】
【００１５】
（１）第１実施形態
次に、本発明に係る装飾表示体の第１の実施形態について図１〜図４を参照しつつ説明する。本実施形態では、装飾表示体１が画素の拡大虚像を利用してマゼンダおよびイエローによるグラデーション効果を奏する場合について説明する。
【００１６】
装飾表示体１は、図１および図３に示すように、アクリル板などの板状の透明素材１０の表面において無着色の透明インキよりなる複数の凸レンズ状の集光素２１を配列させることにより形成された集光素パターン２２を有する集光素層２０と、透明素材１０の裏面において着色された透明インキよりなる複数の点状の画素３１を配列させることにより形成された画素パターン３２を有する画素層３０と、画素層３０を透明素材１０と挟む態様で設けられた背景層４０とを備えている。
【００１７】
前記集光素層２０は、図１〜図３に示すように、集光素２１を各集光素２１の並びに方向性を持たせて２次元的に配列させることにより集光素パターン２２が形成されている。この集光素パターン２２は、水平に対して時計方向に４５°の角度だけ傾斜させたｘ方向とこれに直交するｙ方向に、同じ配列ピッチｐで各集光素２１をマトリクス状に等配列させて規則正しく形成されている。なお、本実施形態における集光素２１の直径は０．３ｍｍであり、配列ピッチｐは０．４３１ｍｍである。また、以下の説明においては、便宜上、集光素２１が配列するｘ方向およびｙ方向の各々について反時計方向に４５°の角度だけ回転させた方向をα方向およびβ方向とする。
【００１８】
前記画素層３０は、図２および図３に示すように、画素３１を各画素３１の並びに集光素パターン２２と同じ方向性を持たせて２次元的に配列させることにより画素パターン３２が形成されている。この画素パターン３２は、画素３１が集光素２１の配列ピッチｐより大きい配列ピッチｑで配列しているため、画素３１の拡大虚像を透明素材１０の上方に現出させる。なお、本実施形態において、画素３１の配列ピッチｑは０．４３１３ｍｍである。
【００１９】
前記画素３１は、マゼンダに着色された透明インキによって形成される色画素（以下「ｍ色画素」という）５１と、イエローに着色された透明インキによって形成される色画素（以下「ｙ色画素」という）６１とが用いられて形成されている。具体的には、図３に示すように、透明素材１０の裏面において、上記画素パターン３２の配列に則した態様でｍ色画素５１を配列させるｍ色画素層５０を形成した後、上記画素パターン３２の配列に則した態様でｙ色画素６１を配列させるｙ色画素層６０を形成している。従って、画素３１は、マゼンダおよびイエローで各々着色された透明のｍ色画素５１およびｙ色画素６１が重ねられることによって形成されている。このことにより、画素３１の拡大虚像は、ｍ色画素５１およびｙ色画素６１の拡大虚像を合成された状態となるため、各色画素５１、６１の拡大虚像の色が合成されてなる合成色の拡大虚像を現出させることができる。特に各色画素５１、６１は着色された透明であるため、各色画素５１、６１の拡大虚像も着色された透明なものとなって、各色画素５１、６１の拡大虚像の色を確実に合成することができる。
【００２０】
このとき、図２（ａ）に示すように、ｍ色画素５１とｙ色画素６１は同一の配列ピッチｑで配列している。従って、ｍ色画素５１とｙ色画素６１を簡単かつ確実に重ならせることができるため、画素３１を形成するｍ色画素５１とｙ色画素６１の各色の割合を精度良く設定することができ、マゼンダおよびイエローを用いた所望の拡大虚像によるグラデーション効果を奏することが容易となる。
【００２１】
また、ｍ色画素５１は、図２（ｂ）に示すように、−αから＋αの方向に沿って画素径が次第に小さくなるように形成され、途中から形成されなくなっている。一方、ｙ色画素６１は、図２（ｃ）に示すように、α方向のいずれにおいても画素径が一定である。従って、−αから＋αの方向に沿って画素３１におけるｍ色画素５１の面積の割合が小さくなっていくことより、画素３１におけるｍ色画素５１の色の割合が次第に小さくなっていくため、ｙ色画素６１の色の割合が相対的に大きくなっていく。このため、画素３１を構成する各色画素５１、６１の色の割合の変化に伴って、図４に示すように、画素３１の拡大虚像の合成色を一般にいう赤色（Ｒ）→橙色（Ｏ）→黄色（Ｙ）というように次第に変化させることができるため、観る者に対して色のグラデーション効果を奏することが可能となる。
【００２２】
ここにおいて、画素３１を形成するｍ色画素５１およびｙ色画素６１は、集光素２１の配列ピッチｐの１０１％以下（p＜ｑ≦ｐ×１．０１）の配列ピッチｑで配列している。これにより、ｍ色画素５１およびｙ色画素６１の拡大虚像の拡大率を高めることができる。一般的に、拡大レンズなどにおいては、対象物の拡大率が高くなることに伴って、対象物の虚像における輪郭のぼやけ方が次第に強まっていく。従って、各色画素５１、６１の拡大虚像の拡大率を高くすることにより、各色画素５１、６１の拡大虚像を輪郭がより一層ぼやけた状態で大きく現出させることができる。このことにより、上下に重なるｍ色画素５１およびｙ色画素６１の拡大虚像はより一層合成された状態となり、画素３１全体としてｍ色画素５１およびｙ色画素６１の拡大虚像の色が合成されてなる合成色の拡大虚像を現出させ易くなる。しかも、隣り合う画素３１の拡大虚像同士もより一層合成された状態となるため、結果として観る者に対して滑らかに色が変化するグラデーション効果を奏することが可能となる。なお、
【００２３】
前記背景層４０は、図３に示すように、透明素材１０側の面が不透明な白色に着色されており、装飾表示体１の正面側から入射した光を反射する。従って、背景層４０によって反射した光は、画素層３０の各画素３１を透過することにより、拡大虚像が該画素３１の色で現出し易くなる。
【００２４】
（２）第２実施形態
次に、本発明に係る装飾表示体の第２の実施形態について図５〜図７を参照しつつ説明する。本実施形態では、装飾表示体２が画素の拡大虚像を利用してシアンおよびイエローによるグラデーション効果を奏する場合について説明する。なお、以下の説明においては、第１実施形態と異なる構成についてのみ説明することとし、第１実施形態と同一の構成については説明を省略して同一の符号を付すこととする。
【００２５】
本実施形態における装飾表示体２は、第１実施形態の画素層３０と異なる画素層１３０を備えている。
【００２６】
前記画素層１３０は、図５および図６に示すように、画素１３１を各画素１３１の並びに集光素パターン２２と同じ方向性を持たせて２次元的に配列させることにより画素パターン１３２が形成されている。この画素パターン１３２は、第１実施形態と同様、画素１３１が配列ピッチｑで配列しているため、画素１３１の拡大虚像を透明素材１０の上方に現出させる。
【００２７】
前記画素１３１は、シアンに着色された透明インキによって形成される色画素（以下「ｃ色画素」という）７１と、ｙ色画素６１とが用いられて形成されている。具体的には、図６に示すように、透明素材１０の裏面において、上記画素パターン１３２の配列に則した態様でｃ色画素７１を配列させるｃ色画素層７０を形成した後、上記画素パターン１３２の配列に則した態様でｙ色画素６１を配列させるｙ色画素層６０を形成している。従って、画素１３１は、シアンおよびイエローで各々着色された透明のｃ色画素７１およびｙ色画素６１が重ねられることによって形成されている。このことにより、画素１３１の拡大虚像が、ｃ色画素７１およびｙ色画素６１の拡大虚像を合成させた状態となるため、各色画素７１、６１の拡大虚像の色が合成されてなる合成色の拡大虚像を現出させることができる。特に各色画素７１、６１は着色された透明であるため、各色画素５１、６１の拡大虚像も着色された透明なものとなって、各色画素７１、６１の拡大虚像の色を確実に合成することができる。
【００２８】
このとき、図５（ａ）に示すように、ｃ色画素７１とｙ色画素６１はともに配列ピッチｑで配列している。従って、ｃ色画素７１とｙ色画素６１を簡単かつ確実に重ならせることができるため、画素１３１を形成するｃ色画素７１とｙ色画素６１の各色の割合を精度良く設定することができ、シアンおよびイエローを用いた所望の拡大虚像によるグラデーション効果を奏することが容易となる。
【００２９】
また、ｃ色画素７１は、図５（ｂ）に示すように、−αから＋αの方向に沿って画素径が次第に大きくなるように形成されている。一方、ｙ色画素６１は、図５（ｃ）に示すように、α方向のいずれにおいても画素径が一定である。従って、−αから＋αの方向に沿って画素１３１におけるｃ色画素７１の面積の割合が大きくなっていくことより、画素１３１におけるｃ色画素７１の色の割合が次第に大きくなっていくため、ｙ色画素６１の色の割合が相対的に小さくなっていく。このため、画素１３１を構成する各色画素７１、６１の色の割合の変化に伴って、図７に示すように、画素１３１の拡大虚像の合成色を一般にいう黄色（Ｙ）→黄緑（ＹＧ）→緑色（Ｇ）というように次第に変化させることができるため、観る者に対して色のグラデーション効果を奏することが可能となる。
【００３０】
ここにおいて、画素１３１を形成するｃ色画素７１およびｙ色画素６１は、集光素２１の配列ピッチｐの１０１％以下（p＜ｑ≦ｐ×１．０１）の配列ピッチｑで配列している。これにより、各色画素７１、６１の拡大虚像の拡大率が高くなるため、各色画素５１、６１の拡大虚像を輪郭がより一層ぼやけた状態で大きく現出させることができる。このことにより、上下に重なるｃ色画素７１およびｙ色画素６１の拡大虚像はより一層合成された状態となり、画素１３１全体としてｃ色画素７１およびｙ色画素６１の拡大虚像の色が合成されてなる合成色の拡大虚像を現出させ易くなる。しかも、隣り合う画素１３１の拡大虚像同士もより一層合成された状態となるため、結果として観る者に対して滑らかに色が変化するグラデーション効果を奏することが可能となる。
【００３１】
（３）第３実施形態
次に、本発明に係る装飾表示体の第３の実施形態について図８〜図１１を参照しつつ説明する。本実施形態では、装飾表示体３が画素の拡大虚像を利用してシアン、マゼンダおよびイエローによるグラデーション効果を奏する場合について説明する。なお、以下の説明においては、第１および第２実施形態と異なる構成についてのみ説明することとし、第１および第２実施形態と同一の構成については説明を省略して同一の符号を付すこととする。
【００３２】
本実施形態における装飾表示体３は、第１実施形態の画素層３０および第２実施形態の画素層１３０と異なる画素層２３０を備えている。
【００３３】
前記画素２３０は、図８および図９に示すように、画素２３１を各画素２３１の並びに集光素パターン２２と同じ方向性を持たせて２次元的に配列させることにより画素パターン２３２が形成されている。この画素パターン２３２は、第１および第２実施形態と同様、画素２３１が配列ピッチｑで配列しているため、画素２３１の拡大虚像を透明素材１０の上方に現出させる。
【００３４】
前記画素２３１は、ｃ色画素７１、ｍ色画素５１およびｙ色画素６１が用いられて形成されている。具体的には、図１０に示すように、透明素材１０の裏面において、上記画素パターン２３２の配列に則した態様でｃ色画素７１を配列させるｃ色画素層７０を形成し、次に上記画素パターン２３２の配列に則した態様でｍ色画素５１を配列させるｍ色画素層５０を形成し、次に上記画素パターン２３２の配列に則した態様でｙ色画素６１を配列させるｙ色画素層６０を形成している。従って、画素２３１は、シアン、マゼンダおよびイエローで各々着色された透明のｃ色画素７１、ｍ色画素５１、ｙ色画素６１が適宜重ねられることによって形成されている。このことにより、画素２３１の拡大虚像が、各色画素７１、５１、６１の拡大虚像を合成させた状態となるため、各色画素７１、５１、６１の拡大虚像の色が合成されてなる合成色の拡大虚像を現出させることができる。特に各色画素５１、６１は着色された透明であるため、各色画素５１、６１の拡大虚像も着色された透明なものとなって、各色画素５１、６１の拡大虚像の色を確実に合成することができる。
【００３５】
このとき、図８に示すように、ｃ色画素７１、ｍ色画素５１、ｙ色画素６１の各々はともに配列ピッチｑで配列している。従って、各色画素７１、５１、６１を簡単かつ確実に重ならせることができるため、画素２３１を形成するｃ色画素７１、ｍ色画素５１およびｙ色画素６１の各色の割合を精度良く設定することができ、シアン、マゼンダ、イエローを用いた所望の拡大虚像によるグラデーション効果を奏することが容易となる。
【００３６】
また、ｃ色画素７１は、図９（ａ）に示すように、α方向のいずれにおいても画素径が一定である。また、ｍ色画素５１は、図９（ｂ）に示すように、−αから＋αの方向に沿って途中から画素径が次第に大きくなっていくように形成されている。またｙ色画素６１は、図９（ｃ）に示すように、−αから＋αの方向に沿って画素径が次第に小さくなるように形成され、途中から形成されなくなっている。従って、−αから＋αの方向に沿って画素２３１におけるｃ色画素７１の面積の割合は一定であり、ｍ色画素５１の面積の割合は大きくなっていき、ｙ色画素６１の面積の割合は小さくなっていく。このことにより、図１１に示すように、画素２３１を構成する各色画素７１、５１、６１の色の割合の変化に伴って、画素２３１の拡大虚像の合成色を一般にいう緑色（Ｇ）→水色（ＬＢ）→青色（Ｂ）→紫色（Ｐ）というように次第に変化させることができるため、観る者に対して色のグラデーション効果を奏することが可能となる。
【００３７】
ここにおいて、画素２３１を形成する各色画素７１、５１、６１は、集光素２１の配列ピッチｐの１０１％以下（p＜ｑ≦ｐ×１．０１）の配列ピッチｑで配列していることより、各色画素７１、５１、６１の拡大虚像の拡大率が高くなるため、各色画素７１、５１、６１の拡大虚像を輪郭がより一層ぼやけた状態で大きく現出させることができる。このことより、上下に重なる各色画素７１、５１、６１の拡大虚像はより一層合成された状態となり、画素２３１全体としてｃ色画素７１、ｍ色画素５１およびｙ色画素６１の拡大虚像の色が合成されてなる合成色の拡大虚像を現出させ易くなる。しかも、隣り合う画素２３１の拡大虚像同士もより一層合成された状態となるため、結果として観る者に対して滑らかに色が変化するグラデーション効果を奏することが可能となる。
【００３８】
なお、各色画素５１、６１、７１の画素径の変化する方向が−αから＋αである場合について説明したが、β方向あるいはその他任意の方向に沿って各色画素５１、６１、７１の画素径が変化するようにしてもよい。また、色画素の色を変化させる方向は各々同一方向でなくてもよい。
【００３９】
また、各色画素５１、６１、７１は、画素３１、１３１、２３１を形成する際に同一の配列ピッチで配列している場合について説明したが、各色画素同士が重ねられれば、同一の配列ピッチでなくてもよい。
【００４０】
また、色画素はシアン、マゼンダ、イエローの三原色のいずれかで着色されている場合について説明したが、任意の色で着色されてもよい。
【００４１】
また、画素３１、１３１、２３１は、１つの色画素によりあるいは２つの色画素が重ねられることにより構成される場合について説明したが、３つ以上の色画素が重ねられて構成されるようにしてもよい。
【００４２】
また、色画素５１、６１、７１は、所定の方向に沿って少なくともいずれかの画素径が変化していけばよい。
【００４３】
また、画素パターン３２、１３２、２３２は、集光素パターン２２と同じ方向性を持たせて２次元的に配列させる場合について説明したが、適宜方向を変更して２次元的に配列させてもよい。
【００４４】
また、色画素５１、６１、７１が透明である場合について説明したが、半透明であってもよい。
【００４５】
また、透明素材１０が板状である場合について説明したが、シート状であってもよい。
【００４６】
また、画素３１、１３１、２３１が点状である場合について説明したが、任意の形状でよい。
【００４７】
また、画素３１、１３１、２３１は、図３、図６、図１０において平面状であるように図示されているが、特に限定されるものではなく、球面状あるいはその他の形状であってもよい。
【００４８】
また、背景層４０は不透明である場合について説明したが、背景層は透明または半透明であってもよい。また、背景層４０を光透過の可能な白色または拡散白に着色した場合、バックライト照明等を使用してグラデーション効果を変化させることができる。
【００４９】
また、画素パターンの画素を形成する前記各色画素は、前記集光素パターンの集光素の配列ピッチの１０１％以下の配列ピッチで配列しているものとしたが、１０１％を超える配列ピッチで配列しているものとしてもよい。ただ、各色画素の配列ピッチが集光素の配列ピッチの１０１％を超える場合には、各色画素の拡大虚像の拡大率が些か足りない場合があり、この場合には拡大虚像があまりぼやけた状態とならずグラデーション効果が小さくなることがある。このため画素パターンの画素を形成する前記各色画素は、前記集光素パターンの集光素の配列ピッチの１０１％以下の配列ピッチで配列しているのが好ましい。特に、各色画素の配列ピッチが集光素の配列ピッチに近づく程、各色画素の拡大虚像の拡大率が増大するため、印刷上可能な限りにおいて、各色画素の配列ピッチを集光素の配列ピッチに近づけるのがより好ましい（但し、各色画素の拡大虚像を透明素材の上方に現出させるために、あくまでも各色画素の配列ピッチが集光素の配列ピッチよりも大きいことが必須要件である）。
【００５０】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００５１】
１、２、３…装飾表示体
１０…透明素材
２０…集光素層
２１…集光素
２２…集光素パターン
３０、１３０、２３０…画素層
３１、１３１、２３１…画素
３２、１３２、２３２…画素パターン
４０…背景層
５０…ｍ色画素層
５１…ｍ色画素
６０…ｙ色画素層
６１…ｙ色画素
７０…ｃ色画素層
７１…ｃ色画素
【図１】
2012236375.tif 000003
【図２】
2012236375.tif 000004
【図３】
2012236375.tif 000005
【図４】
2012236375.tif 000006
【図５】
2012236375.tif 000007
【図６】
2012236375.tif 000008
【図７】
2012236375.tif 000009
【図８】
2012236375.tif 000010
【図９】
2012236375.tif 000011
【図１０】
2012236375.tif 000012
【図１１】
2012236375.tif 000013
【手続補正書】
【提出日】平成23年11月15日(2011.11.15)
【手続補正１】
【補正対象書類名】特許請求の範囲
【補正対象項目名】全文
【補正方法】変更
【補正の内容】
【特許請求の範囲】
【請求項１】
シート状または板状の透明素材の表面に、複数の凸レンズ状の集光素を各集光素の並びに方向性を持たせて２次元的に配列して集光素パターンが形成されるとともに、前記透明素材の裏面に、複数の画素を各画素の並びに方向性を持たせて２次元的に配列して画素パターンが形成され、各画素の配列ピッチが各集光素の配列ピッチよりも大きくなるように前記集光素パターンと前記画素パターンとが形成されることにより、前記画素の拡大虚像を透明素材の上方に現出させる装飾表示体であって、
前記画素は互いに異なる色で着色された透明または半透明の複数の色画素からなり、
前記色画素を重ねることによって前記画素が形成されるとともに、前記画素パターンの所定の方向に沿って少なくともいずれかの前記色画素の画素径が次第に変化することを特徴とする装飾表示体。
【請求項２】
前記画素パターンの画素を形成する前記各色画素は、前記集光素パターンの集光素の配列ピッチの１０１％以下の配列ピッチで配列している請求項１に記載の装飾表示体。
【請求項３】
前記画素パターンの画素を形成する前記各色画素は、同一の配列ピッチで配列している請求項１または請求項２に記載の装飾表示体。
【手続補正書】
【提出日】平成24年2月14日(2012.2.14)
【手続補正１】
【補正対象書類名】特許請求の範囲
【補正対象項目名】全文
【補正方法】変更
【補正の内容】
【特許請求の範囲】
【請求項１】
シート状または板状の透明素材の表面に、複数の凸レンズ状の集光素を各集光素の並びに方向性を持たせて２次元的に配列して集光素パターンが形成されるとともに、前記透明素材の裏面に、複数の画素を各画素の並びに方向性を持たせて２次元的に配列して画素パターンが形成され、各画素の配列ピッチが各集光素の配列ピッチよりも大きくなるように前記集光素パターンと前記画素パターンとが形成されることにより、前記画素の拡大虚像を透明素材の上方に現出させる装飾表示体であって、
前記各画素は、所定の色で着色された透明な第１の色画素と、該第１の色画素と異なる他の色で着色された透明な第２の色画素とから構成され、前記第１の色画素を前記画素パターンの配列に則した態様で配列させ、かつ前記第２の色画素を前記画素パターンの配列に則した態様で配列させて、前記第１の色画素および前記第２の色画素が上下に重ねられることによって形成されるとともに、前記画素パターンの所定の方向に沿って前記第１の色画素または前記第２の色画素の少なくともいずれかの色画素の画素径が次第に変化することによって、前記画素パターンの所定の方向に沿って各画素を構成する第１の色画素と第２の色画素の色の割合が変化することを特徴とする装飾表示体。
【請求項２】
前記画素パターンの画素を形成する前記第１の色画素および第２の色画素は、前記集光素パターンの集光素の配列ピッチの１０１％以下の配列ピッチで配列している請求項１に記載の装飾表示体。
【請求項３】
前記画素パターンの画素を形成する前記第１の色画素および第２の色画素は、同一の配列ピッチで配列している請求項１または請求項２に記載の装飾表示体。
【手続補正２】
【補正対象書類名】明細書
【補正対象項目名】０００８
【補正方法】変更
【補正の内容】
【０００８】
本発明に係る装飾表示体は、上記目的を達成するために、シート状または板状の透明素材の表面に、複数の凸レンズ状の集光素を各集光素の並びに方向性を持たせて２次元的に配列して集光素パターンが形成されるとともに、前記透明素材の裏面に、複数の画素を各画素の並びに方向性を持たせて２次元的に配列して画素パターンが形成され、各画素の配列ピッチが各集光素の配列ピッチよりも大きくなるように前記集光素パターンと前記画素パターンとが形成されることにより、前記画素の拡大虚像を透明素材の上方に現出させる装飾表示体であって、前記各画素は、所定の色で着色された透明な第１の色画素と、該第１の色画素と異なる他の色で着色された透明な第２の色画素とから構成され、前記第１の色画素を前記画素パターンの配列に則した態様で配列させ、かつ前記第２の色画素を前記画素パターンの配列に則した態様で配列させて、前記第１の色画素および前記第２の色画素が上下に重ねられることによって形成されるとともに、前記画素パターンの所定の方向に沿って前記第１の色画素または前記第２の色画素の少なくともいずれかの色画素の画素径が次第に変化することによって、前記画素パターンの所定の方向に沿って各画素を構成する第１の色画素と第２の色画素の色の割合が変化することを特徴とする。